(57)【要約】【課題】複数の撮影機器に保存されたコンテンツから同一シーンを撮影していると予測されるコンテンツを高い精度で関連付けて再生することができ、かつ短時間でコンテンツの再生を開始することができるコンテンツ再生装置およびコンテンツ再生方法を提供する。【解決手段】データ解析部３は、接続機器制御部２を介して、コンテンツ再生装置１に接続された撮影機器Ａ，Ｂに保存されているコンテンツの撮影位置情報、撮影方向情報、被写体距離情報、撮影日時情報等を取得し、撮影位置情報と撮影方向情報と被写体距離情報とから被写体位置情報を算出し、これらの情報をコンテンツ情報記憶部４に記憶する。制御部１１は、コンテンツ情報記憶部４に記憶された撮影位置情報、被写体位置情報、および撮影日時情報を用いて、ユーザにより設定された条件に従って撮影機器Ａ，Ｂに保存されたコンテンツを関連付けて再生する。【選択図】図１
2010232853.tif 000002
【特許請求の範囲】
【請求項１】
コンテンツを再生するコンテンツ再生装置であって、
前記コンテンツ再生装置に接続された複数の撮影機器に保存されたコンテンツの撮影時における前記撮影機器の位置を示す撮影位置情報と、前記コンテンツの撮影日時を示す撮影日時情報とを取得する情報取得手段と、
前記複数の撮影機器から１つ選択される基準機器に保存された第１のコンテンツと、前記基準機器以外の他の撮影機器に保存された第２のコンテンツとを関連付ける関連付け手段と、
前記関連付け手段における関連付けに用いる条件を設定する条件設定手段と、
前記第１のコンテンツと、前記第１のコンテンツに関連付けられた前記第２のコンテンツとを、撮影日時順に再生する再生手段とを備え、
前記関連付け手段は、前記条件設定手段において撮影位置が有効範囲内であるコンテンツを関連付けする設定がされた場合、前記第１のコンテンツと、前記第２のコンテンツのうち撮影位置が前記第１のコンテンツの撮影位置に対する前記有効範囲内であるコンテンツとを関連付けることを特徴とするコンテンツ再生装置。
【請求項２】
前記撮影機器に保存されたコンテンツが動画コンテンツである場合、前記撮影日時情報は、撮影開始日時と撮影終了日時とを含む撮影期間中の所定時間ごとに前記撮影機器によって取得された複数の日時情報を含み、前記撮影位置情報は、前記複数の日時において前記撮影機器によって取得された複数の撮影位置情報を含み、前記有効範囲は、前記複数の撮影位置情報が示す位置の軌跡に対応する前記有効範囲の軌跡の範囲であることを特徴とする請求項１に記載のコンテンツ再生装置。
【請求項３】
前記情報取得手段は、前記複数の撮影機器に保存された前記コンテンツにおける撮影方向を示す撮影方向情報と、前記コンテンツの被写体までの距離を示す被写体距離情報とをさらに取得し、前記撮影位置情報と前記撮影方向情報と前記被写体距離情報とに基づいて、前記コンテンツにおける被写体位置を示す被写体位置情報を算出し、
前記関連付け手段は、前記条件設定手段において被写体位置が有効範囲内であるコンテンツを関連付けする設定がされた場合、前記第１のコンテンツと、前記第２のコンテンツのうち被写体位置が前記第１のコンテンツの被写体位置に対する前記有効範囲内であるコンテンツとを関連付けることを特徴とする請求項１または２に記載のコンテンツ再生装置。
【請求項４】
前記関連付け手段は、前記条件設定手段において撮影位置および被写体位置が有効範囲内であれば関連付けする設定がされた場合、前記第１のコンテンツと、前記第２のコンテンツのうち撮影位置が前記第１のコンテンツの撮影位置に対する所定範囲内であり、かつ被写体位置が前記第１のコンテンツの被写体位置に対する所定範囲内であるコンテンツとを関連付けることを特徴とする請求項３に記載のコンテンツ再生装置。
【請求項５】
前記関連付け手段は、前記条件設定手段において撮影位置および被写体位置のうちの少なくとも一方が有効範囲内であるコンテンツを関連付けする設定がされた場合、前記第１のコンテンツと、前記第２のコンテンツのうち、撮影位置が前記第１のコンテンツの撮影位置から所定範囲内であり、かつ被写体位置が前記第１のコンテンツの被写体位置に対する所定範囲内であるコンテンツとを関連付けるとともに、前記第１のコンテンツと、前記第２のコンテンツのうち、撮影位置が前記第１のコンテンツの撮影位置に対する所定範囲内であるか、または被写体位置が前記第１のコンテンツの被写体位置に対する所定範囲内であるコンテンツとを関連付けることを特徴とする請求項３または４に記載のコンテンツ再生装置。
【請求項６】
前記撮影機器に保存されたコンテンツが動画コンテンツである場合、前記被写体位置情報は、前記撮影日時情報に含まれる複数の日時において前記情報取得手段により算出された複数の被写体位置情報を含み、被写体位置の前記有効範囲は、前記複数の被写体位置情報が示す位置の軌跡に対応する前記有効範囲の軌跡の範囲であることを特徴とする請求項３乃至５のいずれか１項に記載のコンテンツ再生装置。
【請求項７】
前記関連付け手段は、前記条件設定手段において撮影日時が有効時間内であるコンテンツを関連付けする設定がされた場合、前記第１のコンテンツと、前記第２のコンテンツのうち、撮影日時が前記第１のコンテンツの撮影日時に対する所定有効時間内であるコンテンツとを関連付けることを特徴とする請求項１乃至６のいずれか１項に記載のコンテンツ再生装置。
【請求項８】
前記関連付け手段により関連付けられた前記第１および第２のコンテンツの撮影日時に重複する時刻がある場合、この重複する時刻において前記再生手段は、前記第１および第２のコンテンツを同時に再生することを特徴とする請求項１乃至７のいずれか１項に記載のコンテンツ再生装置。
【請求項９】
前記関連付け手段により関連付けられた前記第１および第２のコンテンツの一方が動画コンテンツで他方が静止画コンテンツであり、それらの撮影日時に重複する時刻がある場合、前記再生手段は、前記静止画コンテンツの撮影日時に対応する時刻において、前記動画コンテンツの再生を所定時間だけ一時停止して、前記静止画コンテンツを前記所定時間だけ再生することを特徴とする請求項１乃至７のいずれか１項に記載のコンテンツ再生装置。
【請求項１０】
コンテンツ再生装置に接続された複数の撮影機器に保存されたコンテンツの撮影時における前記撮影機器の位置を示す撮影位置情報と、前記コンテンツの撮影日時を示す撮影日時情報とを取得するステップと、
前記複数の撮影機器から１つ選択される基準機器に保存された第１のコンテンツと、前記基準機器以外の他の撮影機器に保存された第２のコンテンツのうち、撮影位置が前記第１のコンテンツの撮影位置に対する前記有効範囲内であるコンテンツとを関連付けるステップと、
前記第１のコンテンツと、前記第１のコンテンツに関連付けられた前記第２のコンテンツとを、撮影日時順に再生するステップと
を含むことを特徴とするコンテンツ再生方法。
【請求項１１】
前記第１のコンテンツと、前記第２のコンテンツのうち、撮影日時が前記第１のコンテンツの撮影日時に対する所定有効時間内であるコンテンツとを関連付けるステップをさらに含むことを特徴とする請求項１０に記載のコンテンツ再生方法。
【発明の詳細な説明】
【技術分野】
【０００１】
本発明は、撮影機器に保存された動画や静止画のコンテンツを再生するコンテンツ再生装置およびコンテンツ再生方法に関する。
【背景技術】
【０００２】
現在、ＵＳＢマスストレージクラスに対応している製品が急速に普及している。デジタルカメラやデジタルビデオカメラ等の撮影機器にもＵＳＢマスストレージクラスに対応している製品が多く、このような撮影機器を例えばパーソナルコンピュータ（ＰＣ）に接続することで、撮影機器内の画像等を扱うことができるようになる。また、デジタルテレビ等でも、ＵＳＢ接続した撮影機器内の写真等のコンテンツをテレビの画面で再生できるような製品がある。
【０００３】
デジタルカメラやデジタルビデオカメラ等の撮影機器では、動画と静止画との両方を撮影できる製品が主流であり、１つの撮影機器に動画コンテンツと静止画コンテンツとが保存されていることがある。
【０００４】
そして、このような撮影機器に保存された複数のコンテンツにおいて、同じシーンを撮影した動画コンテンツと静止画コンテンツとが含まれていることがある。例えば、ビデオカメラである風景を動画で撮影している途中で、同じ風景を静止画で撮影する場合や、複数人で旅行に行ったとき等に、一人がビデオカメラである人物を動画で撮影し、他の人がデジタルカメラで同じ人物を静止画で撮影する場合等がある。
【０００５】
このように同一のシーンを撮影したという関連のある動画コンテンツおよび静止画コンテンツが複数の撮影機器に保存されており、それら関連のあるコンテンツを再生する場合、次のような手順が必要であった。
【０００６】
まず、複数の撮影機器を再生装置に接続した状態で、ユーザはメニュー画面等から１つの撮影機器を選択し、選択した撮影機器に保存されたコンテンツ一覧表示画面から１つのコンテンツを選択して再生する。選択したコンテンツの再生が終了したら、ユーザは同一の撮影機器か他の撮影機器を選択し、選択した撮影機器内のコンテンツから１つを選択して再生する。コンテンツが同一シーンを撮影したという関連のあるものであるかどうかは、再生してみなければ分からず、関連のあるコンテンツを探すために、異なる撮影機器内のコンテンツを再生する場合、ユーザは撮影機器を選択する操作を行う必要があった。
【０００７】
上記のような操作の手間を軽減するために、特許文献１では、撮影機器内のコンテンツを再生装置に蓄積し、蓄積したコンテンツから選択されたコンテンツの再生中に、他のコンテンツから再生中のコンテンツと撮影時刻が重複するコンテンツを検出して再生中のコンテンツと関連付け、その結果をユーザに通知し、ユーザが再生しているコンテンツを切り替えることができるようにする技術が提案されている。
【先行技術文献】
【特許文献】
【０００８】
【特許文献１】特開２００６−２６０１７８号公報
【発明の概要】
【発明が解決しようとする課題】
【０００９】
しかし、特許文献１では、撮影時刻のみを用いてコンテンツの関連付けを行うので、再生中のコンテンツと撮影時刻が重複していれば、全く関連のない場所で撮影されたコンテンツでも関連付けられる。さらに、再生中のコンテンツと撮影時刻が重複しているコンテンツがない場合は、撮影時刻の一番近いコンテンツを関連付けするので、例えば１年後など、撮影時刻が大きく離れているコンテンツが関連付けられることがあった。このため、撮影されたシーンに関連性の薄いコンテンツ同士が関連付けられることがあった。
【００１０】
また、一度再生装置内にコンテンツを蓄積するため、動画コンテンツ等の容量の大きいコンテンツでは蓄積に長時間を要し、すぐに再生を開始することができなかった。
【００１１】
本発明は上記に鑑みてなされたもので、複数の撮影機器に保存されたコンテンツから同一シーンを撮影していると予測されるコンテンツを高い精度で関連付けて再生することができ、かつ短時間でコンテンツの再生を開始することができるコンテンツ再生装置およびコンテンツ再生方法を提供することを目的とする。
【課題を解決するための手段】
【００１２】
上記目的を達成するため、請求項１に係るコンテンツ再生装置は、コンテンツを再生するコンテンツ再生装置であって、前記コンテンツ再生装置に接続された複数の撮影機器に保存されたコンテンツの撮影時における前記撮影機器の位置を示す撮影位置情報と、前記コンテンツの撮影日時を示す撮影日時情報とを取得する情報取得手段と、前記複数の撮影機器から１つ選択される基準機器に保存された第１のコンテンツと、前記基準機器以外の他の撮影機器に保存された第２のコンテンツとを関連付ける関連付け手段と、前記関連付け手段における関連付けに用いる条件を設定する条件設定手段と、前記第１のコンテンツと、前記第１のコンテンツに関連付けられた前記第２のコンテンツとを、撮影日時順に再生する再生手段とを備え、前記関連付け手段は、前記条件設定手段において撮影位置が有効範囲内であるコンテンツを関連付けする設定がされた場合、前記第１のコンテンツと、前記第２のコンテンツのうち撮影位置が前記第１のコンテンツの撮影位置に対する前記有効範囲内であるコンテンツとを関連付けることを特徴とする。
【００１３】
請求項２に係るコンテンツ再生装置は、請求項１に記載のコンテンツ再生装置において、前記撮影機器に保存されたコンテンツが動画コンテンツである場合、前記撮影日時情報は、撮影開始日時と撮影終了日時とを含む撮影期間中の所定時間ごとに前記撮影機器によって取得された複数の日時情報を含み、前記撮影位置情報は、前記複数の日時において前記撮影機器によって取得された複数の撮影位置情報を含み、前記有効範囲は、前記複数の撮影位置情報が示す位置の軌跡に対応する前記有効範囲の軌跡の範囲であることを特徴とする。
【００１４】
請求項３に係るコンテンツ再生装置は、請求項１または２に記載のコンテンツ再生装置において、前記情報取得手段は、前記複数の撮影機器に保存された前記コンテンツにおける撮影方向を示す撮影方向情報と、前記コンテンツの被写体までの距離を示す被写体距離情報とをさらに取得し、前記撮影位置情報と前記撮影方向情報と前記被写体距離情報とに基づいて、前記コンテンツにおける被写体位置を示す被写体位置情報を算出し、前記関連付け手段は、前記条件設定手段において被写体位置が有効範囲内であるコンテンツを関連付けする設定がされた場合、前記第１のコンテンツと、前記第２のコンテンツのうち被写体位置が前記第１のコンテンツの被写体位置に対する前記有効範囲内であるコンテンツとを関連付けることを特徴とする。
【００１５】
請求項４に係るコンテンツ再生装置は、請求項３に記載のコンテンツ再生装置において、前記関連付け手段は、前記条件設定手段において撮影位置および被写体位置が有効範囲内であれば関連付けする設定がされた場合、前記第１のコンテンツと、前記第２のコンテンツのうち撮影位置が前記第１のコンテンツの撮影位置に対する所定範囲内であり、かつ被写体位置が前記第１のコンテンツの被写体位置に対する所定範囲内であるコンテンツとを関連付けることを特徴とする。
【００１６】
請求項５に係るコンテンツ再生装置は、請求項３または４に記載のコンテンツ再生装置において、前記関連付け手段は、前記条件設定手段において撮影位置および被写体位置のうちの少なくとも一方が有効範囲内であるコンテンツを関連付けする設定がされた場合、前記第１のコンテンツと、前記第２のコンテンツのうち、撮影位置が前記第１のコンテンツの撮影位置から所定範囲内であり、かつ被写体位置が前記第１のコンテンツの被写体位置に対する所定範囲内であるコンテンツとを関連付けるとともに、前記第１のコンテンツと、前記第２のコンテンツのうち、撮影位置が前記第１のコンテンツの撮影位置に対する所定範囲内であるか、または被写体位置が前記第１のコンテンツの被写体位置に対する所定範囲内であるコンテンツとを関連付けることを特徴とする。
【００１７】
請求項６に係るコンテンツ再生装置は、請求項３乃至５のいずれか１項に記載のコンテンツ再生装置において、前記撮影機器に保存されたコンテンツが動画コンテンツである場合、前記被写体位置情報は、前記撮影日時情報に含まれる複数の日時において前記情報取得手段により算出された複数の被写体位置情報を含み、被写体位置の前記有効範囲は、前記複数の被写体位置情報が示す位置の軌跡に対応する前記有効範囲の軌跡の範囲であることを特徴とする。
【００１８】
請求項７に係るコンテンツ再生装置は、請求項１乃至６のいずれか１項に記載のコンテンツ再生装置において、前記関連付け手段は、前記条件設定手段において撮影日時が有効時間内であるコンテンツを関連付けする設定がされた場合、前記第１のコンテンツと、前記第２のコンテンツのうち、撮影日時が前記第１のコンテンツの撮影日時に対する所定有効時間内であるコンテンツとを関連付けることを特徴とする。
【００１９】
請求項８に係るコンテンツ再生装置は、請求項１乃至７のいずれか１項に記載のコンテンツ再生装置において、前記関連付け手段により関連付けられた前記第１および第２のコンテンツの撮影日時に重複する時刻がある場合、この重複する時刻において前記再生手段は、前記第１および第２のコンテンツを同時に再生することを特徴とする。
【００２０】
請求項９に係るコンテンツ再生装置は、請求項１乃至７のいずれか１項に記載のコンテンツ再生装置において、前記関連付け手段により関連付けられた前記第１および第２のコンテンツの一方が動画コンテンツで他方が静止画コンテンツであり、それらの撮影日時に重複する時刻がある場合、前記再生手段は、前記静止画コンテンツの撮影日時に対応する時刻において、前記動画コンテンツの再生を所定時間だけ一時停止して、前記静止画コンテンツを前記所定時間だけ再生することを特徴とする。
【００２１】
請求項１０に係るコンテンツ再生方法は、コンテンツ再生装置に接続された複数の撮影機器に保存されたコンテンツの撮影時における前記撮影機器の位置を示す撮影位置情報と、前記コンテンツの撮影日時を示す撮影日時情報とを取得するステップと、前記複数の撮影機器から１つ選択される基準機器に保存された第１のコンテンツと、前記基準機器以外の他の撮影機器に保存された第２のコンテンツのうち、撮影位置が前記第１のコンテンツの撮影位置に対する前記有効範囲内であるコンテンツとを関連付けるステップと、前記第１のコンテンツと、前記第１のコンテンツに関連付けられた前記第２のコンテンツとを、撮影日時順に再生するステップとを含むことを特徴とする。
【００２２】
請求項１１に係るコンテンツ再生方法は、請求項１０に記載のコンテンツ再生方法において、前記第１のコンテンツと、前記第２のコンテンツのうち、撮影日時が前記第１のコンテンツの撮影日時に対する所定有効時間内であるコンテンツとを関連付けるステップをさらに含むことを特徴とする。
【発明の効果】
【００２３】
本発明によれば、複数の撮影機器に保存されたコンテンツから同一シーンを撮影していると予測されるコンテンツを高い精度で関連付けて再生することができ、かつ短時間でコンテンツの再生を開始することができる。
【図面の簡単な説明】
【００２４】
【図１】本発明の実施の形態に係るコンテンツ再生装置の構成を示すブロック図である。
【図２】図１に示すコンテンツ再生装置のコンテンツ情報記憶部に記憶されるコンテンツ情報の内容の一例を示す図である。
【図３】関連付け再生設定画面の一例を示す図である。
【図４】コンテンツの撮影位置の一例を示す図である。
【図５】図４におけるコンテンツの関連付け結果の一例を示す図である。
【図６】関連付け情報の内容を示す図である。
【図７】移動しながら撮影された動画コンテンツにおける撮影位置の有効範囲を示す図である。
【図８】基準機器の撮影位置から有効範囲外にあっても関連付けされる例を示す図である。
【図９】コンテンツ一覧表示画面の一例を示す図である。
【図１０】コンテンツの撮影位置および被写体位置の一例を示す図である。
【図１１】図１０におけるコンテンツの関連付け結果の一例を示す図である。
【図１２】図１０におけるコンテンツの関連付け結果の他の例を示す図である。
【図１３】コンテンツの撮影位置および撮影日時の一例を示す図である。
【図１４】図１３におけるコンテンツの関連付け結果の一例を示す図である。
【発明を実施するための形態】
【００２５】
以下、本発明の実施の形態について、図面を参照して説明する。
【００２６】
図１は、本発明の実施の形態に係るコンテンツ再生装置の構成を示すブロック図である。図１に示すように本実施の形態に係るコンテンツ再生装置１は、接続機器制御部２と、データ解析部３と、コンテンツ情報記憶部４と、デマルチプレクサ５と、映像デコーダ６と、音声デコーダ７と、映像合成部８と、表示部９と、音声出力部１０と、制御部１１と、操作入力部１２とを備える。
【００２７】
コンテンツ再生装置１は、ＵＳＢケーブル等の公知の接続手段により、複数の撮影機器Ａ，Ｂ，…と同時に接続可能に構成されている。
【００２８】
撮影機器Ａ，Ｂ，…は、デジタルカメラ、デジタルビデオカメラ等からなり、それぞれ動画および静止画を撮影し、撮影したコンテンツを保存する機能を有している。
【００２９】
また、撮影機器Ａ，Ｂ，…は、ＧＰＳ（Global Positioning System）機能を有し、これにより、コンテンツの撮影時における自撮影機器の位置である撮影位置を示す撮影位置情報と、コンテンツの撮影時における撮影方向を示す撮影方向情報とを得て、これらの情報をコンテンツのファイルに埋め込む。
【００３０】
また、撮影機器Ａ，Ｂ，…は、赤外線測距センサやフォーカス情報を用いて被写体までの距離を測定する被写体距離測定機能と、時計とを有し、これらにより、コンテンツにおける被写体までの距離を示す被写体距離情報と、コンテンツの撮影日時を示す撮影日時情報とを得て、これらの情報もコンテンツのファイルに埋め込む機能を有する。動画の撮影時においては、撮影機器Ａ，Ｂ，…は、撮影開始時および撮影終了時と、その間の所定時間間隔の時刻とにおいて、その時刻における撮影位置情報と撮影方向情報と被写体距離情報と撮影日時情報とを、撮影中の動画コンテンツのファイルに埋め込む。
【００３１】
接続機器制御部２は、撮影機器Ａ，Ｂ，…がコンテンツ再生装置１に接続されると、撮影機器Ａ，Ｂ，…を認識し、撮影機器Ａ，Ｂ，…がコンテンツ再生装置１に接続されたことをデータ解析部３に通知する。
【００３２】
データ解析部３は、接続機器制御部２を介して、コンテンツ再生装置１に接続されている撮影機器Ａ，Ｂ，…に保存されたコンテンツにアクセスし、コンテンツのファイルデータを解析して、コンテンツを再生するためのファイルパス情報、前述の撮影位置情報、撮影方向情報、被写体距離情報、および撮影日時情報を検出する。
【００３３】
また、データ解析部３は、撮影位置情報と撮影方向情報と被写体距離情報とに基づいて、コンテンツの撮影時における被写体位置を示す被写体位置情報を算出する。なお、撮影機器Ａ，Ｂ，…が被写体位置情報を算出する機能を有している場合は、撮影機器Ａ，Ｂ，…から撮影位置情報等とともに被写体位置情報を取得すればよい。
【００３４】
また、データ解析部３は、コンテンツをユニークに管理するためのコンテンツＩＤをコンテンツごとに割り振り、上記ファイルパス情報、撮影位置情報、撮影方向情報、被写体距離情報、被写体位置情報、撮影日時情報、当該コンテンツを保存している撮影機器を示す撮影機器情報、および当該コンテンツが動画コンテンツであるか静止画コンテンツであるかを示す種類情報をコンテンツごとに対応させて、コンテンツ情報としてコンテンツ情報記憶部４に記憶する。コンテンツ情報記憶部４に記憶されるコンテンツ情報の内容の一例を図２に示す。
【００３５】
なお、撮影位置情報としては、ＧＰＳにより得られる経緯度情報を記憶するが、データ解析部３は、インターネットを介してインターネットサイトから経緯度情報に対応する地名等の情報を取得し、図２に示すように、取得した地名等の情報も記憶してもよい。被写体位置情報についても同様である。
【００３６】
コンテンツ情報記憶部４は、上述のコンテンツ情報、および後述の関連付け情報を記憶するメモリである。
【００３７】
デマルチプレクサ５は、動画コンテンツのコンテンツデータから圧縮された映像データと圧縮された音声データとを取り出し、圧縮された映像データを映像デコーダ６に出力し、圧縮された音声データを音声デコーダ７に出力する。
【００３８】
映像デコーダ６は、デマルチプレクサ５から入力される圧縮された映像データを復号し、復号された映像データを映像合成部８に出力する。
【００３９】
音声デコーダ７は、デマルチプレクサ５から入力される圧縮された音声データを復号し、復号された音声データを音声出力部１０に出力する。
【００４０】
映像合成部８は、映像デコーダ６で復号された映像データ、または制御部１１で生成されたメニュー画面等のＧＵＩデータのいずれかを選択して表示部９に出力するか、あるいは映像データとＧＵＩデータとを合成して表示部９に出力する。また、映像合成部８は、複数のコンテンツを同時に再生する場合は、複数の映像データを合成し、合成した映像データを表示部９に出力する。
【００４１】
表示部９は、液晶ディスプレイ等からなり、映像合成部８から入力される映像データに基づいて映像を表示する。
【００４２】
音声出力部１０は、スピーカ等からなり、音声デコーダ７から入力される音声データに基づいて音声を出力する。
【００４３】
制御部１１は、コンテンツ情報記憶部４に記憶されたコンテンツ情報に基づいて、撮影機器Ａ，Ｂ，…に保存されたコンテンツの関連付けを行い、関連づけられたコンテンツの対応を示す関連付け情報をコンテンツ情報記憶部４に記憶する。また、制御部１１は、コンテンツ再生装置１に設けられた各部を統括的に制御する。
【００４４】
操作入力部１２は、ユーザの操作を受け付け、操作に基づく操作信号を制御部１１に出力する。
【００４５】
次に、コンテンツ再生装置１の動作について説明する。なお、説明の便宜のため、以下では、コンテンツ再生装置１に２つの撮影機器Ａ，Ｂが接続され、撮影機器Ａには動画コンテンツが保存され、撮影機器Ｂには静止画コンテンツが保存されている場合を例に説明する。
【００４６】
コンテンツ再生装置１に撮影機器Ａ，Ｂが接続されると、接続機器制御部２は、撮影機器Ａ，Ｂがコンテンツ再生装置１に接続されたことをデータ解析部３に通知する。
【００４７】
接続機器制御部２からの通知を受けると、データ解析部３は、接続機器制御部２を介して撮影機器Ａ，Ｂに保存された各コンテンツにアクセスし、各コンテンツのファイルデータを解析して、前述のファイルパス情報、撮影位置情報、撮影方向情報、被写体距離情報、撮影日時情報、撮影機器情報、種類情報を取得する。また、データ解析部３は、撮影位置情報と撮影方向情報と被写体距離情報とに基づいて、被写体位置情報を算出する。そして、データ解析部３は、コンテンツＩＤをコンテンツごとに割り振り、図２に示すように、上記の各種情報とともにコンテンツごとに対応させてコンテンツ情報記憶部４に記憶する。
【００４８】
コンテンツ再生装置１では、接続された撮影機器Ａ，Ｂにおいて同一シーンを撮影していると予測されるコンテンツを関連付けて再生するためには、関連付けの条件を設定する必要がある。
【００４９】
関連付けの条件設定について説明する。ユーザの操作により関連付けの条件設定指示を示す信号が操作入力部１２を介して入力されると、制御部１１は、関連付け再生設定画面のＧＵＩデータを生成し、映像合成部８を制御して関連付け再生設定画面を表示部９に表示させる。
【００５０】
ここで表示される関連付け再生設定画面の一例を図３に示す。図３に示すように、関連付け再生設定画面２０には、関連付け設定欄２１と、基準機器設定欄２２と、有効時間設定欄２３と、有効範囲設定欄２４とが表示される。
【００５１】
関連付け設定欄２１は、関連付けを有効にするか無効にするかを選択するためのものである。「有効」が選択された場合は、設定項目に従った関連付けが有効となり、「無効」が選択された場合は一切関連付けを行わない設定となる。
【００５２】
基準機器設定欄２２は、関連付けの基準機器をコンテンツ再生装置１に接続された撮影機器Ａ，Ｂから選択するためのものである。
【００５３】
有効時間設定欄２３は、撮影日時に基づく関連付けの有効時間を設定するためのものである。基準機器設定欄２２で設定された基準機器のコンテンツの撮影日時（動画コンテンツの場合は撮影終了日時）と、コンテンツ再生装置１に接続された基準機器以外の他の撮影機器のコンテンツの撮影日時（動画コンテンツの場合は撮影開始日時）との間が、有効時間設定欄２３で設定された有効時間内の場合、他の撮影機器のコンテンツは基準機器のコンテンツに関連付けられる。
【００５４】
有効範囲設定欄２４は、関連付けの基準となる基準位置、および関連付けの有効範囲とする距離を設定するためのものである。関連付けの基準位置は、図３に示すように「撮影位置および／または被写体位置」、「撮影位置および被写体位置」、「撮影位置」、「被写体位置」の４つから選択できる。
【００５５】
「撮影位置および／または被写体位置」が選択された場合、基準機器のコンテンツに対して、他の撮影機器のコンテンツのうち、撮影位置および被写体位置のうちの少なくとも一方が有効範囲内であるコンテンツを関連付けする設定となる。すなわち、他の撮影機器のコンテンツのうち、以下の（１）〜（３）に該当するコンテンツが、基準機器のコンテンツに関連付けられる。（１）撮影位置が基準機器のコンテンツの撮影位置に対する有効範囲内であり、かつ被写体位置が基準機器のコンテンツの被写体位置に対する有効範囲内であるコンテンツ、（２）撮影位置が基準機器のコンテンツの撮影位置に対する有効範囲内であって被写体位置が基準機器のコンテンツの被写体位置に対する有効範囲外であるコンテンツ、（３）撮影位置が基準機器のコンテンツの撮影位置に対する有効範囲外であって被写体位置が基準機器のコンテンツの被写体位置に対する有効範囲内であるコンテンツ。
【００５６】
「撮影位置および被写体位置」が選択された場合、他の撮影機器のコンテンツのうち、撮影位置が基準機器のコンテンツの撮影位置に対する所定範囲内であり、かつ被写体位置が基準機器コンテンツの被写体位置に対する所定範囲内であるコンテンツを、基準機器のコンテンツに関連付けする設定となる。
【００５７】
「撮影位置」が選択された場合、他の撮影機器のコンテンツのうち、撮影位置が基準機器のコンテンツの撮影位置に対する所定範囲内であるコンテンツを、基準機器のコンテンツに関連付けする設定となる。
【００５８】
「被写体位置」が選択された場合、他の撮影機器のコンテンツのうち、被写体位置が基準機器のコンテンツの被写体位置に対する所定範囲内であるコンテンツを、基準機器のコンテンツに関連付けする設定となる。
【００５９】
ユーザは、関連付け再生設定画面２０において、操作入力部１２の操作により各設定項目を設定することができる。ユーザ操作により各設定項目が設定されると、制御部１１は、その関連付け条件の設定内容を図示しないメモリに保存する。
【００６０】
関連付け条件が設定されると、制御部１１は、設定された関連付け条件と、コンテンツ情報記憶部４に記憶されたコンテンツ情報とに基づいて、撮影機器Ａ，Ｂに保存されたコンテンツの関連付け処理を行う。なお、関連付け条件の設定は、撮影機器Ａ，Ｂを接続するたびに行う必要はなく、過去に撮影機器Ａ，Ｂがコンテンツ再生装置１に接続されたときに関連付け条件が設定されてその内容がメモリに保存されていれば、制御部１１は、保存されている関連付け条件を用いて、関連付け処理を行う。
【００６１】
関連付けの一例を説明する。図４は、撮影機器Ａ，Ｂにおけるコンテンツの撮影位置の一例を示す図である。図４において、撮影機器Ａの撮影位置Ｍ１−１〜Ｍ１−３，Ｍ２−１〜Ｍ２−３，Ｍ３−１〜Ｍ３−３は、それぞれ１つの動画コンテンツｍ１，ｍ２，ｍ３の撮影位置を示す。
【００６２】
動画コンテンツｍ１〜ｍ３は、ユーザが移動しながら撮影機器Ａで撮影した動画コンテンツである。撮影位置Ｍ１−１，Ｍ１−３はそれぞれ動画コンテンツｍ１の撮影開始日時、撮影終了日時における撮影位置を示し、撮影位置Ｍ１−２は、撮影期間中に所定時間間隔で撮影位置情報等を動画コンテンツｍ１のファイルに記録した際の撮影位置を示す。
【００６３】
また、撮影機器Ｂの撮影位置Ｓ１〜Ｓ８は、静止画コンテンツｓ１〜ｓ８の撮影位置を示す。なお、撮影機器Ａにおける撮影順は、動画コンテンツｍ１〜ｍ３の順であり、撮影機器Ｂにおける撮影順は、静止画コンテンツｓ１〜ｓ８の順である。
【００６４】
ここで、関連付け条件として、基準機器が撮影機器Ａ、有効時間が０分、関連付けの基準位置が「撮影位置」、有効範囲が２００ｍと設定されているとする。図４における各撮影位置の周囲を囲む円は、半径２００ｍの有効範囲を示す。
【００６５】
図４において、撮影位置Ｍ１−２の有効範囲内に撮影位置Ｓ１があり、撮影位置Ｍ１−３の有効範囲内に撮影位置Ｓ２，Ｓ３があり、撮影位置Ｍ３−１の有効範囲内に撮影位置Ｓ７，Ｓ８がある。しかし、撮影位置Ｓ４〜Ｓ６は、撮影機器Ａの撮影位置Ｍ１−１〜Ｍ１−３，Ｍ２−１〜Ｍ２−３，Ｍ３−１〜Ｍ３−３のいずれの有効範囲にも入っていない。したがって、図５に示すように、静止画コンテンツｓ１〜ｓ３は動画コンテンツｍ１に関連付けられ、静止画コンテンツｓ７，ｓ８は動画コンテンツｍ３に関連付けられるが、静止画コンテンツｓ４〜ｓ６は動画コンテンツｍ１〜ｍ３のいずれにも関連付けされない。
【００６６】
制御部１１は、上記のように関連付けられたコンテンツの対応を示す関連付け情報をコンテンツ情報記憶部４に記憶する。図６は関連付け情報の内容を示す図である。図６に示すように関連付け情報は、基準機器である撮影機器ＡのコンテンツのコンテンツＩＤおよび撮影日時情報と、撮影機器Ａのコンテンツに関連付けられた撮影機器ＢのコンテンツのコンテンツＩＤおよび撮影日時情報とを含む。
【００６７】
ところで、ユーザが移動しながら撮影した動画コンテンツでは、図７に示すように、撮影機器Ａで１つの動画コンテンツｍ１の撮影中に所定時間ごとに記録した撮影位置情報に対応する撮影位置Ｍ１−１，Ｍ１−２，Ｍ１−３が大きく離れることがある。図７では、撮影機器Ａの撮影位置Ｍ１−１，Ｍ１−２間にある撮影機器Ｂの撮影位置Ｓ１、および撮影位置Ｍ１−２，Ｍ１−３間にある撮影位置Ｓ２は、撮影機器Ａの撮影位置Ｍ１−１〜Ｍ１−３のいずれの有効範囲にも入っていないため、このままでは、動画コンテンツｍ１と、撮影位置Ｓ１，Ｓ２に対応する静止画コンテンツｓ１，ｓ２とは関連付けされない。
【００６８】
そこで、１つの動画コンテンツにおいては、連続する撮影位置の軌跡２５に対応する有効範囲の軌跡２６の範囲も有効範囲と見なすこととする。これにより、図７に示すような、撮影位置Ｓ１，Ｓ２に対応する静止画コンテンツｓ１，ｓ２も、撮影位置Ｍ１−１〜Ｍ１−３に対応する動画コンテンツｍ１に関連付けされるようになる。
【００６９】
また、図８に示す例では、撮影機器Ａの撮影位置Ｍ１−１〜Ｍ１−３に対して有効範囲内にある撮影機器Ｂの撮影位置は、撮影位置Ｓ１の１つだけであるが、撮影位置Ｓ２が撮影位置Ｓ１の有効範囲内にあり、さらに撮影位置Ｓ３が撮影位置Ｓ２の有効範囲内にある。このような場合には、撮影位置Ｓ１に対応する静止画コンテンツｓ１とともに、撮影位置Ｓ２，Ｓ３に対応する静止画コンテンツｓ２，ｓ３も、撮影位置Ｍ１−１〜Ｍ１−３に対応する動画コンテンツｍ１に関連付けされるようにする。
【００７０】
このように、撮影機器Ａの撮影位置Ｍ１−１〜Ｍ１−３に対して有効範囲内にある撮影機器Ｂの撮影位置Ｓ１の有効範囲は、撮影機器Ａの撮影位置Ｍ１−１〜Ｍ１−３の有効範囲と見なし、撮影位置Ｓ１の有効範囲内にある撮影位置Ｓ２の有効範囲、および影位置Ｓ２の有効範囲内にある撮影位置Ｓ３の有効範囲も、撮影機器Ａの撮影位置Ｍ１−１〜Ｍ１−３の有効範囲と見なす。撮影位置Ｓ４は、撮影位置Ｓ１〜Ｓ３の有効範囲にも入っていないため、撮影位置Ｓ４に対応する静止画コンテンツｓ４は、動画コンテンツｍ１に関連付けされない。
【００７１】
関連付け処理後、ユーザ操作に基づいてコンテンツ一覧表示を指示する信号が操作入力部１２を介して入力されると、制御部１１は、コンテンツ一覧表示画面のＧＵＩデータを生成し、映像合成部８を制御してコンテンツ一覧表示画面を表示部９に表示させる。
【００７２】
ここで表示されるコンテンツ一覧表示画面の一例を図９に示す。図９に示すように、コンテンツ一覧表示画面３０には、コンテンツの保存元の撮影機器と、コンテンツの撮影日時および撮影位置とが表示される。
【００７３】
図９の例では、動画コンテンツと静止画コンテンツとを分け、動画タブ３１を選択することにより動画コンテンツの一覧を表示し、静止画タブ３２を選択することにより静止画コンテンツの一覧（図示せず）を表示するようになっている。なお、コンテンツ一覧表示画面３０の表示時において、制御部１１は、動画コンテンツの代表画像および静止画コンテンツの画像を撮影機器Ａ，Ｂから取得して、これらの画像をサムネイル表示するようにしてもよい。
【００７４】
ユーザは、コンテンツ一覧表示画面３０において、操作入力部１２の操作により、再生するコンテンツを選択するための選択枠３３を所望の位置に移動させ、決定するための操作を行うことにより、選択したコンテンツの再生の開始を指示することができる。
【００７５】
ユーザ操作により、図４、図５における撮影位置Ｍ１−１〜Ｍ１−３に対応する動画コンテンツｍ１を再生する指示信号が入力された場合、制御部１１は、ファイルパス情報に基づいて、動画コンテンツｍ１のコンテンツデータを撮影機器Ａから取得してデマルチプレクサ５に供給するように接続機器制御部２を制御する。
【００７６】
次いで、制御部１１は、デマルチプレクサ５により動画コンテンツｍ１のコンテンツデータから圧縮された映像データと圧縮された音声データとを取り出し、映像デコーダ６により圧縮された映像データを復号し、音声デコーダ７により圧縮された音声データを復号するように制御する。
【００７７】
そして、制御部１１は、映像デコーダ６で復号された映像データを映像合成部８を介して表示部９に供給して映像を表示させるとともに、音声デコーダ７で復号された音声データを音声出力部１０に供給して音声を出力させる。
【００７８】
図４、図５の例では、前述のように、動画コンテンツｍ１に静止画コンテンツｓ１〜ｓ３が関連付けられている。そこで、上記のようにして動画コンテンツｍ１の再生している途中で、静止画コンテンツｓ１の撮影日時に対応する時刻になったら、制御部１１は、動画コンテンツｍ１の再生を所定時間（例えば数秒間）だけ一時停止するとともに、接続機器制御部２を介して静止画コンテンツｓ１のコンテンツデータを撮影機器Ｂから取得し、映像合成部８を介して表示部９に供給して静止画コンテンツｓ１の映像を全画面表示させる。
【００７９】
動画コンテンツｍ１の再生を一時停止して静止画コンテンツｓ１の表示を開始してから所定時間が経過すると、制御部１１は、静止画コンテンツｓ１の表示を終了して動画コンテンツｍ１の再生を再開させる。その後、静止画コンテンツｓ２，ｓ３についても、それぞれの撮影日時に対応する時刻になったら、制御部１１は、動画コンテンツｍ１の再生を一時停止して静止画コンテンツｓ２，ｓ３を所定時間だけ全画面表示させる。
【００８０】
上記動画コンテンツｍ１を再生する場合と同様に、撮影位置Ｍ３−１〜Ｍ３−３に対応する動画コンテンツｍ３を再生する場合は、動画コンテンツｍ３に関連付けられた静止画コンテンツｓ７，ｓ８が、それぞれの撮影日時に対応する時刻において所定時間だけ再生表示され、その間動画コンテンツｍ３の再生が一時停止される。
【００８１】
なお、動画コンテンツの再生を一時停止せず、静止画コンテンツの映像を、動画コンテンツの再生画面の一部に表示するようにしてもよい。
【００８２】
また、撮影日時に重複している時間がある動画コンテンツ同士が関連付けられている場合は、その重複している時間において、表示部９に２画面表示で２つの動画コンテンツを同時に表示する。
【００８３】
次に、関連付けの他の例を説明する。図１０は、撮影機器Ａ，Ｂにおけるコンテンツの撮影位置および被写体位置の一例を示す図である。
【００８４】
図１０において、撮影機器Ａの被写体位置Ｍ´１−１〜Ｍ´１−３，Ｍ´２−１〜Ｍ´２−３は、それぞれ動画コンテンツｍ１，ｍ２の被写体位置を示す。また、撮影機器Ｂの被写体位置Ｓ´１〜Ｓ´６は、それぞれ静止画コンテンツｓ１〜ｓ６の被写体位置を示す。他の符号については図４と同様である。
【００８５】
ここで、関連付け条件として、基準機器が撮影機器Ａ、有効時間が０分、関連付けの基準位置が「撮影位置および被写体位置」、有効範囲が２００ｍと設定されているとする。
【００８６】
図１０において、例えば静止画コンテンツｓ１については、その撮影位置Ｓ１が動画コンテンツｍ１の撮影位置Ｍ１−２の有効範囲内にあり、かつ、被写体位置Ｓ´１が動画コンテンツｍ１の被写体位置Ｍ´１−２の有効範囲内にあるため、動画コンテンツｍ１に関連付けられる。
【００８７】
一方、例えば静止画コンテンツｓ２については、その撮影位置Ｓ１は動画コンテンツｍ１の撮影位置Ｍ１−３の有効範囲内にあるが、被写体位置Ｓ´１は動画コンテンツｍ１の被写体位置Ｍ´１−１〜Ｍ´１−３のいずれの有効範囲にも入っていないため、動画コンテンツｍ１には関連付けられない。
【００８８】
このようにして動画コンテンツｍ１，ｍ２に対して静止画コンテンツｓ１〜ｓ６の関連付けを行った結果を図１１に示す。図１１に示すように、撮影位置Ｓ１，Ｓ３に対応する静止画コンテンツｓ１，ｓ３は、撮影位置Ｍ１−１〜Ｍ１−３に対応する動画コンテンツｍ１に関連付けられるが、撮影位置Ｓ２，Ｓ４〜Ｓ６に対応する静止画コンテンツｓ２，ｓ４〜ｓ６は、動画コンテンツｍ１，ｍ２のいずれにも関連付けされない。
【００８９】
図１０の例において、関連付け条件のうち基準位置の条件のみを「撮影位置および／または被写体位置」に変えた場合について説明する。
【００９０】
この場合、図１０において、例えば静止画コンテンツｓ２については、その被写体位置Ｓ´２は動画コンテンツｍ１の被写体位置Ｍ´１−１〜Ｍ´１−３のいずれの有効範囲にも入っていないが、撮影位置Ｓ２が動画コンテンツｍ１の撮影位置Ｍ１−３の有効範囲内にあるため、動画コンテンツｍ１に関連付けられる。
【００９１】
また、静止画コンテンツｓ４については、その撮影位置Ｓ４は動画コンテンツｍ２の撮影位置Ｍ２−１〜Ｍ２−３のいずれの有効範囲にも入っていないが、被写体位置Ｓ´４が動画コンテンツｍ２の被写体位置Ｍ´２−１の有効範囲内にあるため、動画コンテンツｍ２に関連付けられる。
【００９２】
一方、例えば静止画コンテンツｓ５については、その撮影位置Ｓ５は動画コンテンツｍ１，ｍ２の撮影位置Ｍ１−１〜Ｍ１−３，Ｍ２−１〜Ｍ２−３のいずれの有効範囲にも入っておらず、かつ、被写体位置Ｓ´５は動画コンテンツｍ１，ｍ２の被写体位置Ｍ´１−１〜Ｍ´１−３，Ｍ´２−１〜Ｍ´２−３のいずれの有効範囲にも入っていないため、動画コンテンツｍ１，ｍ２のいずれにも関連付けされない。
【００９３】
なお、動画コンテンツｍ１，ｍ２の被写体位置Ｍ´１−１〜Ｍ´１−３，Ｍ´２−１〜Ｍ´２−３の有効範囲についても、図７を用いて説明した撮影位置Ｍ１−１〜Ｍ１−３の有効範囲と同様に、連続する被写体位置Ｍ´１−１〜Ｍ´１−３，Ｍ´２−１〜Ｍ´２−３の軌跡に対応する有効範囲の軌跡の範囲も有効範囲と見なすこととする。
【００９４】
また、図８に示した例と同様に、撮影機器Ａの被写体位置に対して有効範囲内にある撮影機器Ｂの被写体位置の有効範囲は、撮影機器Ａの被写体位置の有効範囲と見なすこととする。
【００９５】
このようにして動画コンテンツｍ１，ｍ２に対して静止画コンテンツｓ１〜ｓ６の関連付けを行った結果を図１２に示す。図１２に示すように、撮影位置Ｓ１〜Ｓ３に対応する静止画コンテンツｓ１〜ｓ３は、撮影位置Ｍ１−１〜Ｍ１−３に対応する動画コンテンツｍ１に関連付けられ、撮影位置Ｓ４，Ｓ６に対応する静止画コンテンツｓ４，ｓ６は、撮影位置Ｍ２−１〜Ｍ２−３に対応する動画コンテンツｍ２に関連付けられるが、撮影位置Ｓ５に対応する静止画コンテンツｓ５は、動画コンテンツｍ１，ｍ２のいずれにも関連付けされない。
【００９６】
次に、有効時間を設定した場合の関連付けの例を、図１３、図１４を参照して説明する。ここで、関連付け条件として、基準機器が撮影機器Ａ、有効時間が３０分、関連付けの基準位置が「撮影位置」、有効範囲が２００ｍと設定されているとする。
【００９７】
図１３において、撮影機器Ｂの静止画コンテンツｓ１〜ｓ４に対応する撮影位置Ｓ１〜Ｓ４は、撮影機器Ａの撮影位置Ｍ１−１，Ｍ１−２に対応する動画コンテンツｍ１および撮影位置Ｍ２−１，Ｍ２−２に対応する動画コンテンツｍ２のいずれの有効範囲にも入っていない。
【００９８】
一方、撮影位置Ｓ１，Ｓ２に対応する静止画コンテンツｓ１，ｓ２の撮影日時はそれぞれ９：２０、９：３０であり、動画コンテンツｍ１の有効時間内（９：３０まで）である。このため、図１４に示すように、撮影位置Ｓ１，Ｓ２に対応する静止画コンテンツｓ１，ｓ２は、撮影位置Ｍ１−１，Ｍ１−２に対応する動画コンテンツｍ１に関連付けられる。撮影位置Ｓ３，Ｓ４に対応する静止画コンテンツｓ３，ｓ４については、動画コンテンツｍ１，ｍ２のいずれの有効時間内にも入っていないため、関連付けされない。
【００９９】
ここで、図１３、図１４の例における静止画コンテンツｓ１，ｓ２のように、動画コンテンツｍ１に関連付けられているが、動画コンテンツｍ１と撮影日時が重複していない場合、再生する際は、動画コンテンツｍ１の再生終了直後に静止画コンテンツｓ１，ｓ２を連続して再生表示する。
【０１００】
また、静止画コンテンツｓ１，ｓ２のように、静止画コンテンツの再生が複数連続する場合は、例えばスライドショーのように複数の静止画コンテンツを撮影日時順に一定時間ごとに切り替えながら表示する。
【０１０１】
上記説明のように本実施の形態によれば、コンテンツ再生装置１に接続された撮影機器Ａ，Ｂから、撮影機器Ａ，Ｂに保存されたコンテンツの撮影位置情報、撮影方向情報、被写体距離情報、撮影日時情報等を取得し、撮影位置情報と撮影方向情報と被写体距離情報とから被写体位置情報を算出し、撮影位置情報、被写体位置情報、および撮影日時情報を用いて、撮影機器Ａ，Ｂから選択される基準機器に保存されたコンテンツと他の撮影機器に保存されたコンテンツとを関連付けて再生するので、複数の撮影機器Ａ，Ｂに保存されたコンテンツから同一シーンを撮影していると予測されるコンテンツを高い精度で関連付けて再生することができる。
【０１０２】
また、コンテンツをコンテンツ再生装置１に蓄積することなく、コンテンツの関連付けおよび再生を行うので、短時間でコンテンツの再生を開始することができる。
【符号の説明】
【０１０３】
１  コンテンツ再生装置
２  接続機器制御部
３  データ解析部
４  コンテンツ情報記憶部
５  デマルチプレクサ
６  映像デコーダ
７  音声デコーダ
８  映像合成部
９  表示部
１０  音声出力部
１１  制御部
１２  操作入力部
２０  関連付け再生設定画面
Ａ，Ｂ  撮影機器
【図１】
2010232853.tif 000003
【図２】
2010232853.tif 000004
【図３】
2010232853.tif 000005
【図４】
2010232853.tif 000006
【図５】
2010232853.tif 000007
【図６】
2010232853.tif 000008
【図７】
2010232853.tif 000009
【図８】
2010232853.tif 000010
【図９】
2010232853.tif 000011
【図１０】
2010232853.tif 000012
【図１１】
2010232853.tif 000013
【図１２】
2010232853.tif 000014
【図１３】
2010232853.tif 000015
【図１４】
2010232853.tif 000016